【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
第１のトランジスタと第２のトランジスタとを備える差動カスコード増幅器と、
トランジスタであって、
前記差動カスコード増幅器の前記第１のトランジスタのゲート端子に結合されたソース端子と、
前記差動カスコード増幅器の前記第２のトランジスタのゲート端子に結合されたドレイン端子と、
前記第１のトランジスタの前記ゲート端子に、および前記トランジスタの前記ソース端子に結合された第１のパッシブな高インピーダンス要素と、
前記第２のトランジスタの前記ゲート端子に、および前記ドレイン端子に結合された第２のパッシブな高インピーダンス要素と
を含むトランジスタと
を備え、ここにおいて、
前記トランジスタは、前記ソース端子を、前記差動カスコード増幅器の前記第１のトランジスタの前記ゲート端子に選択的に結合するために、および前記ドレイン端子を、前記差動カスコード増幅器の前記第２のトランジスタの前記ゲート端子に選択的に結合するために、第１のモードにおいてアクティベートされるように構成され、
前記トランジスタは、前記差動カスコード増幅器の前記第１のトランジスタの前記ゲート端子が、前記第１のパッシブな高インピーダンス要素および前記第２のパッシブな高インピーダンス要素を介して、前記差動カスコード増幅器の前記第２のトランジスタの前記ゲート端子に結合されるように、第２のモードにおいてデアクティベートされるように構成され、ここにおいて、前記第１のパッシブな高インピーダンス要素および前記第２のパッシブな高インピーダンス要素は、共通の制御ノードに共に結合される、
装置。
【請求項２】
前記第２のパッシブな高インピーダンス要素は、前記第１のパッシブな高インピーダンス要素に結合される、請求項１に記載の装置。
【請求項３】
前記第１のパッシブな高インピーダンス要素は第１の抵抗器を備え、ここにおいて、前記第２のパッシブな高インピーダンス要素は第２の抵抗器を備える、請求項２に記載の装置。
【請求項４】
前記第１のパッシブな高インピーダンス要素は第１のインダクタを備え、ここにおいて、前記第２のパッシブな高インピーダンス要素は第２のインダクタを備える、請求項２に記載の装置。
【請求項５】
前記差動カスコード増幅器は、
前記第１のトランジスタに結合された第３のトランジスタと、
前記第２のトランジスタに結合された第４のトランジスタと、ここにおいて、前記第１のトランジスタと前記第３のトランジスタは第１のカスコードトランジスタ対を形成し、ここにおいて、前記第２のトランジスタと前記第４のトランジスタは第２のカスコードトランジスタ対を形成する、
をさらに備える、請求項１に記載の装置。
【請求項６】
前記第３のトランジスタのゲートは第１の差動入力信号を受信するように構成され、ここにおいて、前記第４のトランジスタのゲートは第２の差動入力信号を受信するように構成される、請求項５に記載の装置。
【請求項７】
前記差動カスコード増幅器に結合された変圧器をさらに備え、ここにおいて、前記変圧器は、前記差動カスコード増幅器の出力をアンテナに与えるように構成される、請求項１に記載の装置。
【請求項８】
電力増幅器または駆動増幅器をさらに備え、ここにおいて、前記トランジスタおよび前記差動カスコード増幅器は前記電力増幅器または前記駆動増幅器内に含められる、請求項１に記載の装置。
【請求項９】
前記差動カスコード増幅器は増幅器段のユニットセルに含められ、ここにおいて、前記第１のトランジスタのドレイン端子は前記増幅器段の少なくとも１つの他のユニットセルに結合される、請求項１に記載の装置。
【請求項１０】
第１のゲート端子を有する第１のトランジスタを含み、第２のゲート端子を有する第２のトランジスタをさらに含む差動カスコード増幅器において、差動信号を増幅することと、
第１のモードの間に、前記第１のゲート端子と前記第２のゲート端子との間に結合されたトランジスタを介して、前記第１のゲート端子を前記第２のゲート端子に結合するために、前記トランジスタをアクティベートすることと、
第２のモードの間に、前記差動カスコード増幅器の前記第１のトランジスタの前記ゲート端子が、第１のパッシブな高インピーダンス要素および第２のパッシブな高インピーダンス要素を介して、前記差動カスコード増幅器の前記第２のトランジスタの前記ゲート端子に結合するように、前記第１のゲート端子を前記第１のパッシブな高インピーダンス要素に結合するために、および前記第２のゲート端子を前記第２のパッシブな高インピーダンス要素に結合するために、前記トランジスタをデアクティベートすることと、ここにおいて、前記第１のパッシブな高インピーダンス要素および前記第２のパッシブな高インピーダンス要素は、共通の制御ノードに共に結合される、
を備える、方法。
【請求項１１】
前記第２のモードの間に、前記第１のゲート端子における電圧が前記第１のトランジスタのドレイン電圧を追跡し、前記第２のゲート端子における電圧が前記第２のトランジスタのドレイン電圧を追跡する、請求項１０に記載の方法。
【手続補正２】
【補正対象書類名】明細書
【補正対象項目名】００５９
【補正方法】変更
【補正の内容】
【００５９】
[0063]開示されている実施形態の上記の説明は、当業者が開示されている実施形態を製作または使用することを可能にするために提供されている。これらの実施形態に対する種々の変更は、当業者には容易に明らかになり、本明細書において規定される原理は、本開示の範囲から逸脱することなく、他の実施形態に適用され得る。たとえば、特定の例示的な回路が説明されてきたが、他の回路も実装され得る。したがって、本開示は、本明細書に示した実施形態に限定されるものではなく、以下の特許請求の範囲によって定義される原理および新規の特徴と一致することが可能な最も広い範囲が与えられるべきものである。
以下に本願の出願当初の特許請求の範囲に記載された発明を付記する。
[Ｃ１]  第１のトランジスタと第２のトランジスタとを備える差動カスコード増幅器と、
前記差動カスコード増幅器の前記第１のトランジスタのゲート端子に結合されたソース端子と、
前記差動カスコード増幅器の前記第２のトランジスタのゲート端子に結合されたドレイン端子と
を含むトランジスタとを備える装置。
[Ｃ２]  前記ソース端子に結合された第１の高インピーダンス要素と、
前記第１の高インピーダンス要素と前記ドレイン端子とに結合された第２の高インピーダンス要素とをさらに備える、Ｃ１に記載の装置。
[Ｃ３]  前記第１の高インピーダンス要素は第１の抵抗器を備え、ここにおいて、前記第２の高インピーダンス要素は第２の抵抗器を備える、Ｃ２に記載の装置。
[Ｃ４]  前記第１の高インピーダンス要素は第１のインダクタを備え、ここにおいて、前記第２の高インピーダンス要素は第２のインダクタを備える、Ｃ２に記載の装置。
[Ｃ５]  前記差動カスコード増幅器は、
前記第１のトランジスタに結合された第３のトランジスタと、
前記第２のトランジスタに結合された第４のトランジスタと、ここにおいて、前記第１のトランジスタと前記第３のトランジスタは第１のカスコードトランジスタ対を形成し、ここにおいて、前記第２のトランジスタと前記第４のトランジスタは第２のカスコードトランジスタ対を形成する、をさらに備える、Ｃ１に記載の装置。
[Ｃ６]  前記第３のトランジスタのゲートは第１の差動入力信号を受信するように構成され、ここにおいて、前記第４のトランジスタのゲートは第２の差動入力信号を受信するように構成される、Ｃ１に記載の装置。
[Ｃ７]  前記差動カスコード増幅器に結合された変圧器をさらに備え、ここにおいて、前記変圧器は、前記差動カスコード増幅器の出力をアンテナに与えるように構成される、Ｃ１に記載の装置。
[Ｃ８]  電力増幅器をさらに備え、ここにおいて、前記トランジスタおよび前記差動カスコード増幅器は前記電力増幅器内に含められる、Ｃ１に記載の装置。
[Ｃ９]  駆動増幅器をさらに備え、ここにおいて、前記トランジスタおよび前記差動カスコード増幅器は前記駆動増幅器内に含められる、Ｃ１に記載の装置。
[Ｃ１０]  差動信号を増幅するための手段と、増幅するための前記手段は、第１のゲート端子を有する第１のトランジスタと、第２のゲート端子を有する第２のトランジスタとを含む、
前記第１のゲート端子を前記第２のゲート端子に選択的に結合するための手段とを備える装置。
[Ｃ１１]  前記第１のゲート端子を前記第２のゲート端子に選択的に結合するための前記手段はトランジスタを含む、Ｃ１０に記載の装置。
[Ｃ１２]  前記差動信号を増幅するための前記手段は、
前記第１のトランジスタに結合された第３のトランジスタと、
前記第２のトランジスタに結合された第４のトランジスタと、ここにおいて、前記第１のトランジスタと前記第３のトランジスタは第１のカスコードトランジスタ対を形成し、ここにおいて、前記第２のトランジスタと前記第４のトランジスタは第２のカスコードトランジスタ対を形成する、をさらに備える、Ｃ１０に記載の装置。
[Ｃ１３]  前記第３のトランジスタのゲートは第１の差動入力信号を受信するように構成され、ここにおいて、前記第４のトランジスタのゲートは第２の差動入力信号を受信するように構成される、Ｃ１２に記載の装置。
[Ｃ１４]  前記差動入力信号を増幅するための前記手段の出力をアンテナに与えるための手段をさらに備える、Ｃ１０に記載の装置。
[Ｃ１５]  電力増幅器をさらに備え、ここにおいて、前記差動入力信号を増幅するための前記手段および前記第１のゲートを前記第２のゲートに選択的に結合するための前記手段は、前記電力増幅器内に含められる、Ｃ１０に記載の装置。
[Ｃ１６]  駆動増幅器をさらに備え、ここにおいて、前記差動入力信号を増幅するための前記手段および前記第１のゲートを前記第２のゲートに選択的に結合するための前記手段は、前記駆動増幅器内に含められる、Ｃ１０に記載の装置。
[Ｃ１７]  前記差動信号を増幅するための前記手段は差動カスコード増幅器を含む、Ｃ１０に記載の装置。
[Ｃ１８]  第１のゲート端子を有する第１のトランジスタを含み、第２のゲート端子を有する第２のトランジスタをさらに含む差動カスコード増幅器において、差動信号を増幅することと、
第１のモードの間に、前記第１のゲート端子と前記第２のゲート端子との間に結合されたトランジスタを介して、前記第１のゲート端子を前記第２のゲート端子に結合するために、前記トランジスタをアクティベートすることとを備える方法。
[Ｃ１９]  第２のモードの間に、第１の高インピーダンス要素および第２の高インピーダンス要素を介して前記第１のゲート端子を前記第２のゲート端子に結合するために、前記トランジスタをデアクティベートすることをさらに備える、Ｃ１８に記載の方法。
[Ｃ２０]  前記第２のモードの間に、前記第１のゲート端子における電圧が前記第１のトランジスタのドレイン電圧を追跡し、前記第２のゲート端子における電圧が前記第２のトランジスタのドレイン電圧を追跡する、Ｃ１９に記載の方法。